(57)【特許請求の範囲】
【請求項１】
三相交流電圧を直流電圧に変換する順変換器と、
前記順変換器の直流出力電圧を平滑化するコンデンサと、
前記コンデンサの端子間電圧を三相交流電圧に変換する逆変換器と、
前記コンデンサと電力貯蔵装置との間で直流電力を授受する双方向チョッパと、
第１の交流電源から供給される三相交流電圧の各相に対応して設けられ、一方端子が対応する相の交流電圧を受け、他方端子が前記順変換器に接続される第１のスイッチと、
前記逆変換器から出力される三相交流電圧の各相に対応して設けられ、一方端子が対応する相の交流電圧を受け、他方端子が負荷に接続される第２のスイッチと、
第２の交流電源から供給される三相交流電圧の各相に対応して設けられ、一方端子が対応する相の交流電圧を受け、他方端子が前記負荷に接続される第３のスイッチと、
前記逆変換器から前記負荷に三相交流電圧を供給する第１のモード時には、前記第１および第２のスイッチをオンさせるとともに前記第３のスイッチをオフさせ、前記第２の交流電源から前記負荷に三相交流電圧を供給する第２のモード時には、前記第１および第３のスイッチをオンさせるとともに前記第２のスイッチをオフさせ、前記第１および第２のモードのうちのいずれか一方のモードから他方のモードに切換える切換期間には、前記第１のスイッチをオフさせるとともに前記第２および第３のスイッチをオンさせ、前記逆変換器および前記第２の交流電源の両方から前記負荷に三相交流電圧を供給する第３のモードを実行する第１の制御部と、
前記第２の交流電源から供給される三相交流電圧に同期して前記逆変換器を制御し、前記第１および第２のモード時には、前記コンデンサの端子間電圧が第１の参照電圧になるように前記順変換器を制御するとともに、前記電力貯蔵装置の端子間電圧が第２の参照電圧になるように前記双方向チョッパを制御し、前記切換期間には、前記順変換器の運転を停止させるとともに、前記コンデンサの端子間電圧が第３の参照電圧になるように前記双方向チョッパを制御する第２の制御部とを備える、無停電電源装置。
【請求項２】
前記第１のモード時において前記第２の制御部は、
前記第１の交流電源の健全時には、前記コンデンサの端子間電圧が前記第１の参照電圧になるように前記順変換器を制御するとともに、前記電力貯蔵装置の端子間電圧が前記第２の参照電圧になるように前記双方向チョッパを制御し、
前記第１の交流電源の停電時には、前記コンデンサの端子間電圧が前記第３の参照電圧になるように前記双方向チョッパを制御する、請求項１に記載の無停電電源装置。
【請求項３】
前記第３の参照電圧は、前記第１の参照電圧よりも低い、請求項１に記載の無停電電源装置。
【請求項４】
前記第１および第２のモードのうちの所望のモードを選択する選択部と、
前記選択部によって選択されるモードが一方のモードから他方のモードに変更されたことに応じて切換指令信号を出力する信号発生回路と、
前記切換指令信号に応答して、第１の時間、第２の時間、および第３の時間を順次計測するタイマーとをさらに備え、
前記切換期間において前記第１の制御部は、
前記切換指令信号に応答して前記第１のスイッチをオフさせ、
前記タイマーによって前記第１の時間が計測されたことに応じて、前記第１および第２のスイッチのうちの前記他方のモードに対応するスイッチをオンさせ、
前記タイマーによって前記第２の時間が計測されたことに応じて、前記第１および第２のスイッチのうちの前記一方のモードに対応するスイッチをオフさせ、
前記タイマーによって前記第３の時間が計測されたことに応じて前記第１のスイッチをオンさせる、請求項１に記載の無停電電源装置。
【請求項５】
前記第１および第２のモードのうちの所望のモードを選択する選択部と、
前記選択部によって選択されるモードが一方のモードから他方のモードに変更されたことに応じて切換指令信号を出力する信号発生回路と、
それぞれ前記第１〜第３のスイッチと連動する第１〜第３の補助スイッチと、
前記第１〜第３の補助スイッチの導通状態に基づいて、それぞれ前記第１〜第３のスイッチがオンしているかオフしているかを検出する第１〜第３の状態検出器とをさらに備え、
前記切換期間において前記第１の制御部は、
前記切換指令信号に応答して前記第１のスイッチをオフさせ、
前記第１の状態検出器によって前記第１のスイッチがオフされたことが検出されたことに応じて、前記第２および第３のスイッチのうちの前記他方のモードに対応するスイッチをオンさせ、
前記第２または第３の状態検出器によって前記他方のモードに対応するスイッチがオンされたことが検出されたことに応じて、前記第２および第３のスイッチのうちの前記一方のモードに対応するスイッチをオフさせ、
前記第２または第３の状態検出器によって前記一方のモードに対応するスイッチがオフされたことが検出されたことに応じて前記第１のスイッチをオンさせる、請求項１に記載の無停電電源装置。
【請求項６】
前記第１および第２の交流電源の各々は、中性点に対して星形接続された三相の交流電源を含み、
前記第１および第２の交流電源の中性点はともに接地されている、請求項１に記載の無停電電源装置。
【請求項７】
前記第１の交流電源は商用交流電源であり、
前記第２の交流電源は発電機である、請求項１に記載の無停電電源装置。
【発明の詳細な説明】
【技術分野】
【０００１】
この発明は無停電電源装置に関し、特に、インバータから負荷に交流電力を供給するインバータ給電モードと、バイパス交流電源から負荷に交流電力を供給するバイパス給電モードと、インバータおよびバイパス交流電源の両方から負荷に交流電力を供給するラップ給電モードとを有する無停電電源装置に関する。
【背景技術】
【０００２】
たとえば国際公開第２０１７／０１７７１９号明細書（特許文献１）には、インバータ給電モード、バイパス給電モード、およびラップ給電モードを有する無停電電源装置が開示されている。この無停電電源装置は、商用交流電源から供給される交流電圧を直流電圧に変換するコンバータと、コンバータの直流出力電圧を平滑化するコンデンサと、コンデンサの端子間電圧を交流電圧に変換するインバータと、一方端子がインバータの交流出力電圧を受け、他方端子が負荷に接続される第１のスイッチと、一方端子がバイパス交流電源から供給される交流電圧を受け、他方端子が負荷に接続される第２のスイッチとを備える。【０００３】
インバータ給電モード時には、第１のスイッチがオンされるとともに第２のスイッチがオフされる。バイパス給電モード時には、第２のスイッチがオンされるとともに第１のスイッチがオフされる。ラップ給電モード時には、第１および第２のスイッチがともにオンされる。ラップ給電モードは、インバータ給電モードとバイパス給電モードとを切換える切換期間に実行される。
【先行技術文献】
【特許文献】
【０００４】
【特許文献１】国際公開第２０１７／０１７７１９号明細書
【発明の概要】
【発明が解決しようとする課題】
【０００５】
しかし、従来の無停電電源装置では、商用交流電源およびバイパス交流電源の各々が中性点に対して星形接続された三相の交流電源を含み、かつ商用交流電源およびバイパス交流電源の中性点がともに接地された場合には、ラップ給電モード時に、商用交流電源およびバイパス交流電源のうちのいずれか一方の交流電源からコンデンサを介して他方の交流電源に循環電流が流れるおそれがある（図６、図７参照）。大きな循環電流が流れると、過電流が検出されたり、コンデンサの過電圧が検出されて無停電電源装置の運転が停止され、負荷の運転が停止されてしまう。【０００６】
それゆえに、この発明の主たる目的は、第１および第２の交流電源の中性点が接地された場合でも、循環電流が流れることを防止することが可能な無停電電源装置を提供することである。
【課題を解決するための手段】
【０００７】
この発明に係る無停電電源装置は、順変換器、コンデンサ、逆変換器、双方向チョッパ、第１のスイッチ、第２のスイッチ、第３のスイッチ、第１の制御部、および第２の制御部を備える。順変換器は、三相交流電圧を直流電圧に変換する。コンデンサは、順変換器の直流出力電圧を平滑化する。逆変換器は、コンデンサの端子間電圧を三相交流電圧に変換する。双方向チョッパは、コンデンサと電力貯蔵装置との間で直流電力を授受する。【０００８】
第１のスイッチは、第１の交流電源から供給される三相交流電圧の各相に対応して設けられ、その一方端子が対応する相の交流電圧を受け、その他方端子が順変換器に接続される。第２のスイッチは、逆変換器から出力される三相交流電圧の各相に対応して設けられ、その一方端子が対応する相の交流電圧を受け、その他方端子が負荷に接続される。第３のスイッチは、第２の交流電源から供給される三相交流電圧の各相に対応して設けられ、その一方端子が対応する相の交流電圧を受け、その他方端子が前記負荷に接続される。【０００９】
第１の制御部は、逆変換器から負荷に三相交流電圧を供給する第１のモード時には、第１および第２のスイッチをオンさせるとともに第３のスイッチをオフさせ、第２の交流電源から負荷に三相交流電圧を供給する第２のモード時には、第１および第３のスイッチをオンさせるとともに第２のスイッチをオフさせ、第１および第２のモードのうちのいずれか一方のモードから他方のモードに切換える切換期間には、第１のスイッチをオフさせるとともに第２および第３のスイッチをオンさせ、逆変換器および第２の交流電源の両方から負荷に三相交流電圧を供給する第３のモードを実行する。【００１０】
第２の制御部は、第２の交流電源から供給される三相交流電圧に同期して逆変換器を制御し、第１および第２のモード時には、コンデンサの端子間電圧が第１の参照電圧になるように順変換器を制御するとともに、電力貯蔵装置の端子間電圧が第２の参照電圧になるように双方向チョッパを制御し、切換期間には、順変換器の運転を停止させるとともに、コンデンサの端子間電圧が第３の参照電圧になるように双方向チョッパを制御する。
【発明の効果】
【００１１】
この発明に係る無停電電源装置では、第１のモードと第２のモードとを切換える切換期間には、第１のスイッチをオフさせて第１の交流電源と順変換器とを電気的に切り離す。したがって、第１および第２の交流電源の中性点がともに接地された場合でも、循環電流が流れることを防止することができる。
【図面の簡単な説明】
【００１２】
【図１】実施の形態１による無停電電源装置の構成を示す回路ブロック図である。
【図２】図１に示すコンバータおよびインバータの構成を示す回路図である。
【図３】図１に示す商用交流電源の構成を示す等価回路図である。
【図４】図１に示すバイパス交流電源の構成を示す等価回路図である。
【図５】図３に示す商用交流電源の三相交流電圧とバイパス交流電源の三相交流電圧との関係を示す図である。
【図６】本願発明の効果を説明するための回路ブロック図である。
【図７】本願発明の効果を説明するための他の回路ブロック図である。
【図８】図１に示す制御装置の要部を示すブロック図である。
【図９】図８に示す制御部１６の構成を示す回路ブロック図である。
【図１０】図１に示す双方向チョッパの構成を示す回路ブロック図である。
【図１１】図８〜図１０に示す制御装置の動作を示すタイムチャートである。
【図１２】図８〜図１０に示す制御装置の動作を示す他のタイムチャートである。
【図１３】実施の形態２による無停電電源装置の構成を示す回路ブロック図である。
【図１４】図１３に示す制御部４０の動作を示すタイムチャートである。
【図１５】図１３に示す制御部４０の動作を示す他のタイムチャートである。
【発明を実施するための形態】
【００１３】
[実施の形態１]
図１は、この発明の実施の形態１による無停電電源装置の構成を示す回路ブロック図である。図１において、この無停電電源装置は、スイッチＳ１〜Ｓ９、コンデンサＣ１〜Ｃ６，Ｃｄ、リアクトルＬ１〜Ｌ６、電流検出器ＣＴ１〜ＣＴ６、コンバータ１、直流正母線Ｌｐ、直流負母線Ｌｎ、双方向チョッパ２、インバータ３、操作部４、および制御装置５を備える。
【００１４】
この無停電電源装置は、商用交流電源６およびバイパス交流電源７から商用周波数の三相交流電力を受け、負荷８に商用周波数の三相交流電力を供給する。商用交流電源６は、交流出力端子６ａ〜６ｃにそれぞれ三相交流電圧Ｖｕ１，Ｖｖ１，Ｖｗ１を出力する。商用交流電源６の中性点端子６ｄは接地電圧ＧＮＤを受ける。
【００１５】
三相交流電圧Ｖｕ１，Ｖｖ１，Ｖｗ１の瞬時値は、制御装置５によって検出される。制御装置５は、商用交流電源６の交流出力電圧Ｖｕ１，Ｖｖ１，Ｖｗ１に基づいて、商用交流電源６の停電が発生したか否かを検出する。
【００１６】
バイパス交流電源７は、交流出力端子７ａ〜７ｃにそれぞれ三相交流電圧Ｖｕ２，Ｖｖ２，Ｖｗ２を出力する。バイパス交流電源７の中性点端子７ｄは接地電圧ＧＮＤを受ける。三相交流電圧Ｖｕ２，Ｖｖ２，Ｖｗ２の瞬時値は、制御装置５によって検出される。負荷８の交流入力端子８ａ〜８ｃは、無停電電源装置から三相交流電圧を受ける。負荷８は、無停電電源装置から供給される三相交流電力によって駆動される。
【００１７】
スイッチＳ１〜Ｓ３の一方端子はそれぞれ商用交流電源６の交流出力端子６ａ〜６ｃに接続される。コンデンサＣ１〜Ｃ３の一方電極はそれぞれスイッチＳ１〜Ｓ３の他方端子に接続され、それらの他方電極は互いに接続される。リアクトルＬ１〜Ｌ３の一方端子はそれぞれスイッチＳ１〜Ｓ３の他方端子に接続され、それらの他方端子はコンバータ１の３つの入力ノードにそれぞれ接続される。
【００１８】
スイッチＳ１〜Ｓ６は、制御装置５によって制御される。インバータ３によって生成される三相交流電力を負荷８に供給するインバータ給電モード（第１のモード）時には、制御装置５は、スイッチＳ１〜Ｓ６をオンさせるとともにスイッチＳ７〜Ｓ９をオフさせる。バイパス交流電源７からの三相交流電力を負荷８に供給するバイパス給電モード（第２のモード）時には、制御装置５は、スイッチＳ１〜Ｓ３，Ｓ７〜Ｓ９をオンさせるとともに、スイッチＳ４〜Ｓ６をオフさせる。インバータ給電モードおよびバイパス給電モードのうちのいずれか一方の給電モードから他方の給電モードに切換える切換期間には、制御装置５は、スイッチＳ１〜Ｓ３をオフさせて商用交流電源６とコンバータ１を電気的に切り離す。
【００１９】
コンデンサＣ１〜Ｃ３およびリアクトルＬ１〜Ｌ３は交流フィルタＦ１を構成する。交流フィルタＦ１は、低域通過フィルタであり、商用交流電源６からコンバータ１に商用周波数の交流電流を流し、コンバータ１から商用交流電源６にスイッチング周波数の信号が流れることを防止する。電流検出器ＣＴ１〜ＣＴ３は、それぞれリアクトルＬ１〜Ｌ３に流れる交流電流Ｉ１〜Ｉ３を検出し、検出値を示す信号を制御装置５に与える。
【００２０】
コンバータ１の正側出力ノードは、直流正母線Ｌｐを介してインバータ３の正側入力ノードに接続される。コンバータ１の負側出力ノードは、直流負母線Ｌｎを介してインバータ３の負側入力ノードに接続される。コンデンサＣｄは、母線Ｌｐ，Ｌｎ間に接続され、母線Ｌｐ，Ｌｎ間の直流電圧ＶＤＣを平滑化させる。直流電圧ＶＤＣの瞬時値は、制御装置５によって検出される。
【００２１】
コンバータ１は、制御装置５によって制御され、商用交流電源６から三相交流電力が正常に供給されている場合（商用交流電源６の健全時）には、商用交流電源６からの三相交流電力を直流電力に変換する。コンバータ１によって生成された直流電力は、母線Ｌｐ，Ｌｎを介して双方向チョッパ２およびインバータ３に供給される。
【００２２】
制御装置５は、商用交流電源６の健全時には、商用交流電源６の交流出力電圧Ｖｕ１，Ｖｖ１，Ｖｗ１、交流電流Ｉ１〜Ｉ３、およびコンデンサＣｄの端子間電圧ＶＤＣに基づき、コンデンサＣｄの端子間電圧ＶＤＣが参照電圧ＶＤＣｒ１（第１の参照電圧）になるようにコンバータ１を制御する。また、制御装置５は、商用交流電源６からの三相交流電力の供給が停止された場合（商用交流電源６の停電時）には、コンバータ１の動作を停止させる。
【００２３】
また、制御装置５は、インバータ給電モードおよびバイパス給電モードのうちのいずれか一方の給電モードから他方の給電モードに切換える切換期間には、コンバータ１の運転を停止させる。交流フィルタＦ１およびコンバータ１は、商用交流電源６からの三相交流電力を直流電力に変換する順変換器を構成する。
【００２４】
双方向チョッパ２は、制御装置５によって制御され、商用交流電源６の健全時には、コンバータ１によって生成された直流電力をバッテリ９に蓄え、商用交流電源６の停電が発生したことに応じて、バッテリ９の直流電力を母線Ｌｐ，Ｌｎを介してインバータ３に供給する。バッテリ９の端子間電圧ＶＢの瞬時値は、制御装置５によって検出される。
【００２５】
制御装置５は、コンデンサＣｄの端子間電圧ＶＤＣおよびバッテリ９の端子間電圧ＶＢに基づいて、双方向チョッパ２を制御する。制御装置５は、商用交流電源６の健全時には、バッテリ９の端子間電圧ＶＢが参照電圧ＶＢｒ（第２の参照電圧）になるように双方向チョッパ２を制御する。また、制御装置５は、商用交流電源６の停電時には、コンデンサＣｄの端子間電圧ＶＤＣが参照電圧ＶＤＣｒ２（第３の参照電圧）になるように双方向チョッパ２を制御する。
【００２６】
また、制御装置５は、インバータ給電モードおよびバイパス給電モードのうちのいずれか一方の給電モードから他方の給電モードに切換える切換期間には、コンデンサＣｄの端子間電圧ＶＤＣが参照電圧ＶＤＣｒ２になるように双方向チョッパ２を制御する。なお、ＶＢｒ＜ＶＤＣ２ｒ＜ＶＤＣ１である。ＶＤＣｒ２は、ＶＤＣｒ１よりも少しだけ低い電圧である。
【００２７】
インバータ３は、制御装置５によって制御され、コンバータ１および双方向チョッパ２から供給される直流電力を商用周波数の三相交流電力に変換する。インバータ３の３つの出力ノードは、それぞれリアクトルＬ４〜Ｌ６の一方端子に接続される。リアクトルＬ４〜Ｌ６の他方端子はそれぞれスイッチＳ４〜Ｓ６の一方端子に接続され、スイッチＳ４〜Ｓ６の他方端子はそれぞれ負荷８の３つの交流入力端子８ａ〜８ｃに接続される。コンデンサＣ４〜Ｃ６の一方電極はそれぞれリアクトルＬ４〜Ｌ６の他方端子に接続され、コンデンサＣ４〜Ｃ６の他方電極はともにコンデンサＣ１〜Ｃ３の他方電極に接続される。
【００２８】
コンデンサＣ４〜Ｃ６およびリアクトルＬ４〜Ｌ６は交流フィルタＦ２を構成する。交流フィルタＦ２は、低域通過フィルタであり、インバータ３から負荷８に商用周波数の交流電流を流し、インバータ３から負荷８にスイッチング周波数の信号が流れることを防止する。換言すると、交流フィルタＦ２は、インバータ３から出力される三相矩形波電圧を正弦波状の三相交流電圧Ｖａ，Ｖｂ，Ｖｃに変換する。
【００２９】
三相交流電圧Ｖａ〜Ｖｃの瞬時値は、制御装置５によって検出される。電流検出器ＣＴ４〜ＣＴ６は、それぞれリアクトルＬ４〜Ｌ６に流れる交流電流Ｉ４〜Ｉ６を検出し、検出値を示す信号を制御装置５に与える。
【００３０】
制御装置５は、インバータ３の交流出力電圧Ｖａ〜Ｖｃ、バイパス交流電源７の交流出力電圧Ｖｕ２，Ｖｖ２，Ｖｗ２、交流電流Ｉ４〜Ｉ６に基づき、交流出力電圧Ｖａ〜Ｖｃがそれぞれ交流出力電圧Ｖｕ２，Ｖｖ２，Ｖｗ２になるようにインバータ３を制御する。
【００３１】
スイッチＳ７〜Ｓ９の一方端子はそれぞれバイパス交流電源７の交流出力端子７ａ〜７ｃに接続され、それらの他方端子はそれぞれ負荷８の交流入力端子８ａ〜８ｃに接続される。スイッチＳ７〜Ｓ９は、制御装置５によって制御され、インバータ給電モード時にはオフされ、バイパス給電モード時およびラップ給電モード時にはオンされる。
【００３２】
操作部４（選択部）は、無停電電源装置の使用者によって操作される複数のボタン、種々の情報を表示する画像表示部などを含む。使用者が操作部４を操作することにより、無停電電源装置の電源をオンおよびオフしたり、自動運転モード、バイパス給電モード、およびインバータ給電モードのうちのいずれかのモードを選択することが可能となっている。
【００３３】
制御装置５は、操作部４からの信号、商用交流電源６の交流出力電圧Ｖｕ１，Ｖｖ１，Ｖｗ１、交流入力電流Ｉ１〜Ｉ３、コンデンサＣｄの端子間電圧ＶＤＣ、バッテリ９の端子間電圧ＶＢ、交流出力電流Ｉ４〜Ｉ６、交流出力電圧Ｖａ〜Ｖｃ、バイパス交流電源７の交流出力電圧Ｖｕ２，Ｖｖ２，Ｖｗ２などに基づいて無停電電源装置全体を制御する。
【００３４】
ここで、この無停電電源装置の動作について簡単に説明する。商用交流電源６の健全時において操作部４を用いて自動運転モードが選択された場合には、スイッチＳ１〜Ｓ３がオンされて商用交流電源６が交流フィルタＦ１を介してコンバータ１に接続され、スイッチＳ４〜Ｓ６がオンされてインバータ３が交流フィルタＦ２を介して負荷８に接続され、スイッチＳ７〜Ｓ９がオフされてバイパス交流電源７と負荷８が電気的に切り離される。
【００３５】
また、コンデンサＣｄの端子間電圧ＶＤＣが参照電圧ＶＤＣｒ１になるようにコンバータ１が制御され、バッテリ９の端子間電圧ＶＢが参照電圧ＶＢｒになるように双方向チョッパ２が制御され、交流出力電圧Ｖａ〜Ｖｃがそれぞれバイパス交流電源７の交流出力電圧Ｖｕ２，Ｖｖ２，Ｖｗ２になるようにインバータ３が制御される。これにより、交流出力電圧Ｖａ〜ＶｃがスイッチＳ４〜Ｓ６を介して負荷８に供給され、負荷８が駆動される。
【００３６】
商用交流電源６の停電が発生した場合には、スイッチＳ１〜Ｓ３がオフされ、コンバータ１の運転が停止され、コンデンサＣｄの端子間電圧ＶＤＣが参照電圧ＶＤＣｒ２になるように双方向チョッパ２が制御され、交流出力電圧Ｖａ〜Ｖｃがそれぞれバイパス交流電源７の交流出力電圧Ｖｕ２，Ｖｖ２，Ｖｗ２になるようにインバータ３が制御される。
【００３７】
バッテリ９の直流電力が消費され、バッテリ９の端子間電圧ＶＢが下限値に到達した場合には、双方向チョッパ２およびインバータ３の運転が停止される。したがって、商用交流電源６の停電が発生した場合でも、バッテリ９の端子間電圧ＶＢが下限値に到達するまでの期間は負荷８の運転を継続することができる。
【００３８】
また、商用交流電源６の健全時において操作部４を用いてインバータ給電モードが選択された場合には、上記自動運転モード時と同様に、スイッチＳ１〜Ｓ６がオンされるとともにスイッチＳ７〜Ｓ９がオフされ、コンデンサＣｄの端子間電圧ＶＤＣが参照電圧ＶＤＣｒ１になるようにコンバータ１が制御され、バッテリ９の端子間電圧ＶＢが参照電圧ＶＢｒになるように双方向チョッパ２が制御される。また、交流出力電圧Ｖａ〜Ｖｃがそれぞれバイパス交流電源７の交流出力電圧Ｖｕ２，Ｖｖ２，Ｖｗ２になるようにインバータ３が制御される。
【００３９】
インバータ給電モード時において操作部４を用いてバイパス給電モードが選択された場合には、スイッチＳ１〜Ｓ３がオフされ、コンバータ１の運転が停止され、コンデンサＣｄの端子間電圧ＶＤＣが参照電圧ＶＤＣｒ２になるように双方向チョッパ２が制御される。次いで、所定時間だけラップ給電モードが実行され、スイッチＳ４〜Ｓ９がオンされ、インバータ３およびバイパス交流電源７の両方から負荷８に三相交流電力が供給される。このとき、スイッチＳ１〜Ｓ３がオフされているので、無停電電源装置に循環電流が流れることはない。
【００４０】
ラップ給電モードが終了すると、スイッチＳ４〜Ｓ６がオフされてスイッチＳ７〜Ｓ９のみがオンされる。次に、スイッチＳ１〜Ｓ３がオンされ、コンバータ１が制御されてコンデンサＣｄの端子間電圧ＶＤＣが参照電圧ＶＤＣｒ１に上げられ、インバータ給電モードからバイパス給電モードへの切換が完了する。コンバータ１の運転が再開されると、コンバータ１によって生成された直流電力が双方向チョッパ２を介してバッテリ９に蓄えられる。
【００４１】
バイパス給電モードでは、バイパス交流電源７からスイッチＳ７〜Ｓ９を介して負荷８に三相交流電力が供給され、負荷８が駆動される。バイパス給電モード時には、次にインバータ給電モードが選択されるときに備えて、コンバータ１、双方向チョッパ２、およびインバータ３が運転され、バッテリ９の充電などが行なわれる。あるいはバイパス給電モード時には、スイッチＳ１〜Ｓ３がオフされて、コンバータ１、双方向チョッパ２、インバータ３、バッテリ９などの修理、定期点検などが行なわれれる。
【００４２】
また、バイパス給電モード時において操作部４を用いてインバータ給電モードが選択された場合には、スイッチＳ１〜Ｓ３がオフされ、コンバータ１の運転が停止され、コンデンサＣｄの端子間電圧ＶＤＣが参照電圧ＶＤＣｒ２になるように双方向チョッパ２が制御される。次いで、所定時間だけラップ給電モードが実行され、スイッチＳ４〜Ｓ９がオンされ、インバータ３およびバイパス交流電源７の両方から負荷８に三相交流電力が供給される。このとき、スイッチＳ１〜Ｓ３がオフされているので、無停電電源装置に循環電流が流れることはない。
【００４３】
ラップ給電モードが終了すると、スイッチＳ７〜Ｓ９がオフされてスイッチＳ１〜Ｓ６がオンされ、コンバータ１によってコンデンサＣｄの端子間電圧ＶＤＣが参照電圧ＶＤＣｒ１に上げられて、バイパス給電モードからインバータ給電モードへの切換が完了する。コンバータ１が運転されると、コンバータ１によって生成された直流電力が双方向チョッパ２を介してバッテリ９に蓄えられる。
【００４４】
次に、このような無停電電源装置に流れる循環電流について説明する。図２は、コンバータ１およびインバータ３の構成を示す回路図である。図２において、コンバータ１は、ＩＧＢＴ（Insulated  Gate  Bipolar  Transistor）Ｑ１〜Ｑ６およびダイオードＤ１〜Ｄ６を含む。ＩＧＢＴは、スイッチング素子を構成する。ＩＧＢＴＱ１〜Ｑ３のコレクタはともに直流正母線Ｌｐに接続され、それらのエミッタはそれぞれ入力ノード１ａ，１ｂ，１ｃに接続される。
【００４５】
入力ノード１ａ，１ｂ，１ｃは、それぞれリアクトルＬ１〜Ｌ３（図１）の他方端子に接続される。ＩＧＢＴＱ４〜Ｑ６のコレクタはそれぞれ入力ノード１ａ，１ｂ，１ｃに接続され、それらのエミッタはともに直流負母線Ｌｎに接続される。ダイオードＤ１〜Ｄ６は、それぞれＩＧＢＴＱ１〜Ｑ６に逆並列に接続される。
【００４６】
ＩＧＢＴＱ１，Ｑ４はそれぞれゲート信号Ａ１，Ｂ１によって制御され、ＩＧＢＴＱ２，Ｑ５はそれぞれゲート信号Ａ２，Ｂ２によって制御され、ＩＧＢＴＱ３，Ｑ６はそれぞれゲート信号Ａ３，Ｂ３によって制御される。ゲート信号Ｂ１，Ｂ２，Ｂ３は、それぞれゲート信号Ａ１，Ａ２，Ａ３の反転信号である。
【００４７】
ＩＧＢＴＱ１〜Ｑ３は、それぞれゲート信号Ａ１，Ａ２，Ａ３が「Ｈ」レベルにされた場合にオンし、それぞれゲート信号Ａ１，Ａ２，Ａ３が「Ｌ」レベルにされた場合にオフする。ＩＧＢＴＱ４〜Ｑ６は、それぞれゲート信号Ｂ１，Ｂ２，Ｂ３が「Ｈ」レベルにされた場合にオンし、それぞれゲート信号Ｂ１，Ｂ２，Ｂ３が「Ｌ」レベルにされた場合にオフする。
【００４８】
ゲート信号Ａ１，Ｂ１，Ａ２，Ｂ２，Ａ２，Ｂ２の各々は、パルス信号列であり、ＰＷＭ（Pulse  Width  Modulation）信号である。ゲート信号Ａ１，Ｂ１の位相とゲート信号Ａ２，Ｂ２の位相とゲート信号Ａ３，Ｂ３の位相とは、基本的には１２０度ずつずれている。ゲート信号Ａ１，Ｂ１，Ａ２，Ｂ２，Ａ３，Ｂ３は、制御装置５によって生成される。
【００４９】
たとえば、交流入力電圧Ｖｕ１のレベルが交流入力電圧Ｖｖ１のレベルよりも高い場合は、ＩＧＢＴＱ１，Ｑ５がオンされ、入力ノード１ａからＩＧＢＴＱ１、直流正母線Ｌｐ、コンデンサＣｄ、直流負母線Ｌｎ、およびＩＧＢＴＱ５を介して入力ノード１ｂに電流が流れ、コンデンサＣｄが充電される。
【００５０】
逆に、交流入力電圧Ｖｖ１のレベルが交流入力電圧Ｖｕ１のレベルよりも高い場合は、ＩＧＢＴＱ２，Ｑ４がオンされ、入力ノード１ｂからＩＧＢＴＱ２、直流正母線Ｌｐ、コンデンサＣｄ、直流負母線Ｌｎ、およびＩＧＢＴＱ４を介して入力ノード１ａに電流が流れ、コンデンサＣｄが充電される。他の場合も同様である。
【００５１】
ゲート信号Ａ１，Ｂ１，Ａ２，Ｂ２，Ａ３，Ｂ３によってＩＧＢＴＱ１〜Ｑ６の各々を所定のタイミングでオンおよびオフさせるとともに、ＩＧＢＴＱ１〜Ｑ６の各々のオン時間を調整することにより、入力ノード６ａ〜６ｃに与えられた三相交流電圧を直流電圧ＶＤＣ（コンデンサＣｄの端子間電圧）に変換することが可能となっている。
【００５２】
インバータ３は、ＩＧＢＴＱ１１〜Ｑ１６およびダイオードＤ１１〜Ｄ１６を含む。ＩＧＢＴは、スイッチング素子を構成する。ＩＧＢＴＱ１１〜Ｑ１３のコレクタはともに直流正母線Ｌｐに接続され、それらのエミッタはそれぞれ出力ノード３ａ，３ｂ，３ｃに接続される。出力ノード３ａ，３ｂ，３ｃは、それぞれリアクトルＬ４〜Ｌ６（図１）の一方端子に接続される。ＩＧＢＴＱ１４〜Ｑ１６のコレクタはそれぞれ出力ノード３ａ，３ｂ，３ｃに接続され、それらのエミッタはともに直流負母線Ｌｎに接続される。ダイオードＤ１１〜Ｄ１６は、それぞれＩＧＢＴＱ１１〜Ｑ１６に逆並列に接続される。
【００５３】
ＩＧＢＴＱ１１，Ｑ１４はそれぞれゲート信号Ｘ１，Ｙ１によって制御され、ＩＧＢＴＱ１２，Ｑ１５はそれぞれゲート信号Ｘ２，Ｙ２によって制御され、ＩＧＢＴＱ１３，Ｑ１６はそれぞれゲート信号Ｘ３，Ｙ３によって制御される。ゲート信号Ｙ１，Ｙ２，Ｙ３は、それぞれゲート信号Ｘ１，Ｘ２，Ｘ３の反転信号である。
【００５４】
ＩＧＢＴＱ１１〜Ｑ１３は、それぞれゲート信号Ｘ１，Ｘ２，Ｘ３が「Ｈ」レベルにされた場合にオンし、それぞれゲート信号Ｘ１，Ｘ２，Ｘ３が「Ｌ」レベルにされた場合にオフする。ＩＧＢＴＱ１４〜Ｑ１６は、それぞれゲート信号Ｙ１，Ｙ２，Ｙ３が「Ｈ」レベルにされた場合にオンし、それぞれゲート信号Ｙ１，Ｙ２，Ｙ３が「Ｌ」レベルにされた場合にオフする。
【００５５】
ゲート信号Ｘ１，Ｙ２，Ｘ３，Ｙ１，Ｘ２，Ｙ３の各々は、パルス信号列であり、ＰＷＭ信号である。ゲート信号Ｘ１，Ｙ１の位相とゲート信号Ｘ２，Ｙ２の位相とゲート信号Ｘ３，Ｙ３の位相とは、基本的には１２０度ずつずれている。ゲート信号Ｘ１，Ｙ１，Ｘ２，Ｙ２，Ｘ３，Ｙ３は、制御装置５によって生成される。
【００５６】
たとえば、ＩＧＢＴＱ１１，Ｑ１５がオンすると、直流正母線ＬｐがＩＧＢＴＱ１１を介して出力ノード３ａに接続されるとともに、出力ノード３ｂがＩＧＢＴＱ１５を介して直流負母線Ｌｎに接続され、出力ノード３ａ，３ｂ間に正電圧が出力される。
【００５７】
また、ＩＧＢＴＱ１２，Ｑ１４がオンすると、直流正母線ＬｐがＩＧＢＴＱ１２を介して出力ノード３ｂに接続されるとともに、出力ノード３ａがＩＧＢＴＱ１４を介して直流負母線Ｌｎに接続され、出力ノード３ａ，３ｂ間に負電圧が出力される。
【００５８】
ゲート信号Ｘ１，Ｙ１，Ｘ２，Ｙ２，Ｘ３，Ｙ３によってＩＧＢＴＱ１１〜Ｑ１６の各々を所定のタイミングでオンおよびオフさせるとともに、ＩＧＢＴＱ１１〜Ｑ１６の各々のオン時間を調整することにより、母線Ｌｐ，Ｌｎ間の直流電圧ＶＤＣを三相交流電圧Ｖａ，Ｖｂ，Ｖｃに変換することが可能となっている。
【００５９】
図３は、商用交流電源６の構成を示す等価回路図である。図３において、商用交流電源６は、中性点端子６ｄに対して星形接続（Ｙ接続）された３相の交流電源６Ｕ，６Ｖ，６Ｗを含む。交流電源６Ｕは、交流出力端子６ａと中性点端子６ｄとの間に接続され、交流出力端子６ａに交流電圧Ｖｕ１を出力する。交流電源６Ｖは、交流出力端子６ｂと中性点端子６ｄとの間に接続され、交流出力端子６ｂに交流電圧Ｖｖ１を出力する。交流電源６Ｗは、交流出力端子６ｃと中性点端子６ｄとの間に接続され、交流出力端子６ｃに交流電圧Ｖｗ１を出力する。
【００６０】
交流電圧Ｖｕ１，Ｖｖ１，Ｖｗ１の各々は商用周波数（たとえば６０Ｈｚ）で正弦波状に変化する。交流電圧Ｖｕ１，Ｖｖ１，Ｖｗ１のピーク値（実効値の√２倍）は同一であり、それらの位相は１２０度ずつずれている。交流電源６Ｕ，６Ｖ，６Ｗは、たとえば、商用交流電源６の最終段の三相変圧器に含まれる最終段の三相の巻線に対応している。
【００６１】
図４は、バイパス交流電源７の構成を示す等価回路図である。図４において、バイパス交流電源７は、中性点端子７ｄに対して星形接続された３相の交流電源７Ｕ，７Ｖ，７Ｗを含む。交流電源７Ｕは、交流出力端子７ａと中性点端子７ｄとの間に接続され、交流出力端子７ａに交流電圧Ｖｕ２を出力する。交流電源７Ｖは、交流出力端子７ｂと中性点端子７ｄとの間に接続され、交流出力端子７ｂに交流電圧Ｖｖ２を出力する。交流電源７Ｗは、交流出力端子７ｃと中性点端子７ｄとの間に接続され、交流出力端子７ｃに交流電圧Ｖｗ２を出力する。
【００６２】
交流電圧Ｖｕ２，Ｖｖ２，Ｖｗ２の各々は商用周波数で正弦波状に変化する。交流電圧Ｖｕ２，Ｖｖ２，Ｖｗ２のピーク値は同一であり、それらの位相は１２０度ずつずれている。交流電源７Ｕ，７Ｖ，７Ｗは、たとえば、自家発電機の三相のコイルに対応している。
【００６３】
インバータ給電モードおよびバイパス給電モードでは、バイパス交流電源７の交流電圧Ｖｕ２，Ｖｖ２，Ｖｗ２の位相（およびピーク値）は、それぞれ商用交流電源６の交流電圧Ｖｕ１，Ｖｖ１，Ｖｗ１の位相（およびピーク値）に一致しており、また、スイッチＳ７〜Ｓ９またはスイッチＳ４〜Ｓ６がオフされている。この状態では、無停電電源装置に循環電流は流れない。
【００６４】
しかし、ラップ給電モードでは、スイッチＳ７〜Ｓ９またはスイッチＳ４〜Ｓ６をオンしたときにバイパス交流電源７の負荷電流が大きく変動し、交流電圧Ｖｕ２，Ｖｖ２，Ｖｗ２の位相、ピーク値が変動する。このため、交流電圧Ｖｕ２，Ｖｖ２，Ｖｗ２がそれぞれ交流電圧Ｖｕ１，Ｖｖ１，Ｖｗ１に一致しなくなる。
【００６５】
図５（Ａ）〜（Ｃ）は、商用交流電源６の交流電圧Ｖｕ１，Ｖｖ１，Ｖｗ１とバイパス交流電源７の交流電圧Ｖｕ２，Ｖｖ２，Ｖｗ２との関係を示す図である。交流電圧Ｖｕ１，Ｖｖ１，Ｖｗ１，Ｖｕ２，Ｖｖ２，Ｖｗ２の各々は、ベクトル表示されている。交流電圧Ｖｕ１，Ｖｖ１，Ｖｗ１の位相は１２０度ずつずれ、交流電圧Ｖｕ２，Ｖｖ２，Ｖｗ２の位相は１２０度ずつずれている。図５（Ａ）は、交流電圧Ｖｕ２，Ｖｖ２，Ｖｗ２の位相がそれぞれ交流電圧Ｖｕ１，Ｖｖ１，Ｖｗ１の位相に一致している場合を示している。
【００６６】
図５（Ｂ）は、交流電圧Ｖｕ２，Ｖｖ２，Ｖｗ２の位相がそれぞれ交流電圧Ｖｕ１，Ｖｖ１，Ｖｗ１の位相よりも６０度遅れている場合を示している。たとえば、交流電圧Ｖｕ１の位相と交流電圧Ｖｗ２の位相とは１８０度ずれている。交流電圧Ｖｕ１が正のピーク値となり、交流電圧Ｖｗ２が負のピーク値となったとき、交流電圧Ｖｕ１と交流電圧Ｖｗ２の差の電圧ΔＶ１２＝Ｖｕ１−Ｖｗ２は、交流電圧Ｖｕ１，Ｖｗ２のピーク値の和となる。逆に、交流電圧Ｖｕ１が負のピーク値となり、交流電圧Ｖｗ２が正のピーク値となったとき、交流電圧Ｖｗ２と交流電圧Ｖｕ１の差の電圧ΔＶ２１＝Ｖｗ２−Ｖｕ１は、交流電圧Ｖｕ１，Ｖｗ２のピーク値の和となる。
【００６７】
図５（Ｃ）は、交流電圧Ｖｕ２，Ｖｖ２，Ｖｗ２の位相がそれぞれ交流電圧Ｖｕ１，Ｖｖ１，Ｖｖ１の位相よりも６０度進んでいる場合を示している。たとえば、交流電圧Ｖｕ１の位相と交流電圧Ｖｖ２の位相とは１８０度ずれている。交流電圧Ｖｕ１が正のピーク値となり、交流電圧Ｖｖ２が負のピーク値となったとき、交流電圧Ｖｕ１と交流電圧Ｖｖ２の差の電圧ΔＶ１２＝Ｖｕ１−Ｖｖ２は、交流電圧Ｖｕ１，Ｖｖ２のピーク値の和となる。逆に、交流電圧Ｖｕ１が負のピーク値となり、交流電圧Ｖｖ２が正のピーク値となったとき、交流電圧Ｖｖ２と交流電圧Ｖｕ１の差の電圧ΔＶ２１＝Ｖｖ２−Ｖｕ１は、交流電圧Ｖｕ１，Ｖｖ２のピーク値の和となる。
【００６８】
もし、ラップ給電モード時において、スイッチＳ１〜Ｓ３がオンされ、かつコンデンサＣｄの端子間電圧ＶＤＣが交流電圧Ｖｕ１，Ｖｖ１，Ｖｗ１のピーク値と交流電圧Ｖｕ２，Ｖｖ２，Ｖｗ２のピーク値との和よりも小さい場合には、次のような問題が発生する。たとえば、図５（Ｂ）で示したように、交流電圧Ｖｕ１，Ｖｗ２の位相が１８０度ずれ、交流電圧Ｖｕ１，Ｖｗ２の差の電圧ΔＶ１２＝Ｖｕ１−Ｖｗ２が交流電圧Ｖｕ１，Ｖｗ２のピーク値の和となった場合、図６で示される経路に循環電流ＩＣが流れる。
【００６９】
すなわち、交流電源６Ｕの一方端子（出力端子６ａ）からコンバータ１の入力ノード１ａ、ダイオードＤ１（図２）、直流正母線Ｌｐ、コンデンサＣｄ、直流負母線Ｌｎ、ダイオードＤ１６（図２）、インバータ３の出力ノード３ｃ、交流電源７Ｗ、中性点端子７ｄ、接地電圧ＧＮＤのライン、および中性点端子６ｄを介して交流電源６Ｕの他方端子に至る経路に循環電流ＩＣが流れてしまう。なお、図６では、図面および説明の簡単化のため、フィルタＦ１，Ｆ２、オンされたスイッチＳ１〜Ｓ９などの図示は省略されている。
【００７０】
逆に、交流電圧Ｖｗ２，Ｖｕ１の差の電圧ΔＶ２１＝Ｖｗ２−Ｖｕ１が交流電圧Ｖｕ１，Ｖｗ２のピーク値の和となった場合、図７で示される経路に循環電流ＩＣが流れる。すなわち、交流電源７Ｗの一方端子（出力端子７ｃ）からインバータ３の出力ノード３ｃ、ダイオードＤ１３（図２）、直流正母線Ｌｐ、コンデンサＣｄ、直流負母線Ｌｎ、ダイオードＤ４（図２）、コンバータ１の入力ノード１ａ、交流電源６Ｕ、中性点端子６ｄ、接地電圧ＧＮＤのライン、および中性点端子７ｄを介して交流電源７Ｕの他方端子に至る経路に循環電流ＩＣが流れる。
【００７１】
循環電流ＩＣが流れると、循環電流ＩＣによってコンデンサＣｄが充電され、コンデンサＣｄの端子間電圧ＶＤＣが上限値ＶＤＣＨを超え、制御装置５によって異常が発生したと判別されて無停電電源装置の運転が停止され、負荷８の運転が停止される場合がある。また、電流検出器ＣＴ１〜ＣＴ６の検出値が上限値ＩＨを超え、制御装置５によって異常が発生したと判別されて無停電電源装置の運転が停止され、負荷８の運転が停止される場合がある。
【００７２】
そこで、本実施の形態１では、インバータ給電モードおよびバイパス給電モードのうちのいずれか一方の給電モードから他方の給電モードに切換える切換期間には、スイッチＳ１〜Ｓ３をオフさせることにより、無停電電源装置に循環電流ＩＣが流れることを防止している。ラップ給電モードは、切換期間内に行なわれる。
【００７３】
また、本実施の形態１では、交流電圧Ｖｕ１，Ｖｖ１，Ｖｗ１のピーク値と交流電圧Ｖｕ２，Ｖｖ２，Ｖｗ２のピーク値との和の電圧よりも低い参照電圧ＶＤＣｒ１，ＶＤＣｒ２にコンデンサＣｄの端子間電圧ＶＤＣを設定することにより、消費電力の低減化、効率の向上を図っている。
【００７４】
バイパス交流電源７が安定している場合には、バイパス交流電源７の交流出力電圧Ｖｕ２，Ｖｖ２，Ｖｗ２は商用交流電源６の交流出力電圧Ｖｕ１，Ｖｖ１，Ｖｗ１に一致しているので、交流電圧Ｖｕ１，Ｖｖ１，Ｖｗ１のピーク値と交流電圧Ｖｕ２，Ｖｖ２，Ｖｗ２のピーク値との和の電圧は、交流電圧Ｖｕ１，Ｖｖ１，Ｖｗ１のピーク値の２倍の電圧に等しい。また、交流電圧Ｖｕ１，Ｖｖ１，Ｖｗ１のピーク値は同じ値である。
【００７５】
たとえば、交流電圧Ｖｕ１の実効値は２７７Ｖであり、そのピーク値は３９２Ｖである。交流電圧Ｖｕ１のピーク値の２倍の電圧は７８４Ｖである。参照電圧ＶＤＣｒ１は、７８４Ｖよりも低い７５０Ｖに設定される。参照電圧ＶＤＣｒ２は、参照電圧ＶＤＣｒ１よりも少し低い７３０Ｖに設定される。なお、参照電圧ＶＤＣｒ１は、コンデンサＣｄの端子間電圧ＶＤＣの上限値ＶＤＣＨ（たとえば１０００Ｖ）よりも低い値に設定される。
【００７６】
次に、コンバータ１およびスイッチＳ１〜Ｓ９の制御方法について説明する。図８は、制御装置５のうちのコンバータ１およびスイッチＳ１〜Ｓ９の制御に関連する部分の構成を示すブロック図である。図８において、制御装置５は、信号発生回路１１、タイマー１２、停電検出器１３、および制御部１４〜１６を含む。
【００７７】
操作部４（図１）は、無停電電源装置の使用者によってインバータ給電モードが選択された場合には、モード選択信号ＭＳを「Ｌ」レベルにし、バイパス給電モードが選択された場合には、モード選択信号ＭＳを「Ｈ」レベルにする。信号発生回路１１は、操作部４からのモード選択信号ＭＳの立ち上がりエッジおよび立下りエッジの各々に応答して、切換指令信号ＰＣを所定時間だけ「Ｈ」レベルに立ち上げる。
【００７８】
タイマー１２は、切換指令信号ＰＣの立ち上がりエッジに応答して、第１の時間Ｔ１、第２の時間Ｔ２、および第３の時間Ｔ３を順次計測する。また、タイマー１２は、切換指令信号ＰＣの立ち上がりエッジから第３の時間Ｔ３まで、切換信号φＣを活性化レベルの「Ｈ」レベルにする。さらに、タイマー１２は、第１の時間Ｔ１から第２の時間Ｔ２まで、オーバーラップ指令信号φＯＬを活性化レベルの「Ｈ」レベルにする。
【００７９】
停電検出器１３は、商用交流電源６から供給される三相交流電圧Ｖｕ１，Ｖｖ１，Ｖｗ１に基づいて、停電が発生したか否かを判別し、判別結果を示す停電検出信号φＦを出力する。停電検出器１３は、たとえば、交流電圧Ｖｕ１，Ｖｖ１，Ｖｗ１のレベルが下限値よりも高い場合には商用交流電源６は健全であると判別し、交流電圧Ｖｕ１，Ｖｖ１，Ｖｗ１のレベルが下限値よりも低下した場合には、停電が発生したと判別する。商用交流電源６が健全である場合には停電検出信号φＦは非活性化レベルの「Ｌ」レベルにされ、停電が発生した場合には停電検出信号φＦは活性化レベルの「Ｈ」レベルにされる。
【００８０】
制御部１４は、モード選択信号ＭＳおよびオーバーラップ指令信号φＯＬに従ってスイッチＳ４〜Ｓ９を制御する。モード選択信号ＭＳおよびオーバーラップ指令信号φＯＬがともに「Ｌ」レベルである場合、制御部１４は、スイッチＳ４〜Ｓ６をオンさせるとともにスイッチＳ７〜Ｓ９をオフさせる。
【００８１】
オーバーラップ指令信号φＯＬが「Ｈ」レベルである場合、制御部１４はスイッチＳ４〜Ｓ９をオンさせる。モード選択信号ＭＳが「Ｈ」レベルであり、オーバーラップ指令信号φＯＬが「Ｌ」レベルである場合、制御部１４は、スイッチＳ７〜Ｓ９をオンさせるとともにスイッチＳ４〜Ｓ６をオフさせる。
【００８２】
制御部１５は、切換信号φＣおよび停電検出信号φＦのうちの少なくともいずれか一方の信号が活性化レベルの「Ｈ」レベルにされた場合には、スイッチＳ１〜Ｓ３をオフさせ、切換信号φＣおよび停電検出信号φＦがともに非活性化レベルの「Ｌ」レベルである場合には、スイッチＳ１〜Ｓ３をオンさせる。
【００８３】
制御部１６は、切換信号φＣおよび停電検出信号φＦがともに非活性化レベルの「Ｌ」レベルである場合には、交流入力電圧Ｖｕ１，Ｖｖ１，Ｖｗ１、三相入力電流Ｉ１〜Ｉ３、直流電圧ＶＤＣに基づいて動作し、コンデンサＣｄの端子間電圧ＶＤＣが参照電圧ＶＤＣｒ１（またはＶＤＣｒ２）に一致するように、コンバータ１を制御する。また、制御部１６は、切換信号φＣおよび停電検出信号φＦのうちの少なくともいずれか一方の信号が活性化レベルの「Ｈ」レベルにされた場合には、コンバータ１の運転を停止させる。
【００８４】
図９は、制御部１６の構成を示す回路ブロック図である。図９において、制御部１６は、電圧検出器２０，２８、参照電圧発生回路２１、減算器２２，２６Ａ〜２６Ｃ、直流電圧制御回路２３、正弦波発生回路２４、乗算器２５Ａ〜２５Ｃ、電流制御回路２７、加算器２９Ａ〜２９Ｃ、ＰＷＭ回路３０、ＯＲゲート３１、およびゲート回路３２を含む。
【００８５】
電圧検出器２０は、コンデンサＣｄの端子間電圧ＶＤＣを検出し、その検出値を示す信号を出力する。参照電圧発生回路２１は、参照電圧ＶＤＣｒ１を生成する。減算器２２は、参照電圧ＶＤＣｒ１からコンデンサＣｄの端子間電圧ＶＤＣを減算し、参照電圧ＶＤＣｒ１と直流電圧ＶＤＣとの偏差ΔＶＤＣ＝ＶＤＣｒ１−ＶＤＣを求める。
【００８６】
直流電圧制御回路２３は、偏差ΔＶＤＣ＝ＶＤＣｒ１−ＶＤＣが０となるようにコンバータ１の交流入力電流Ｉ１〜Ｉ３を制御するための電流指令値Ｉｃを算出する。直流電圧制御回路２３は、たとえば、偏差ΔＶＤＣを比例演算または比例積分演算することにより電流指令値Ｉｃを算出する。
【００８７】
正弦波発生回路２４は、商用交流電源６からの三相交流電圧Ｖｕ１，Ｖｖ１，Ｖｗ１と同相の三相正弦波信号を生成する。乗算器２５Ａ〜２５Ｃは、それぞれ三相正弦波信号に電流指令値Ｉｃを乗算して、三相電流指令値Ｉ１ｃ〜Ｉ３ｃを生成する。
【００８８】
減算器２６Ａは、電流指令値Ｉ１ｃと電流検出器ＣＴ１により検出された交流電流Ｉ１との偏差ΔＩ１＝Ｉ１ｃ−Ｉ１を算出する。減算器２６Ｂは、電流指令値Ｉ２ｃと電流検出器ＣＴ２により検出された交流電流Ｉ２との偏差ΔＩ２＝Ｉ２ｃ−Ｉ２を算出する。減算器２６Ｃは、電流指令値Ｉ３ｃと電流検出器ＣＴ３により検出された交流電流Ｉ３との偏差ΔＩ３＝Ｉ３ｃ−Ｉ３を算出する。
【００８９】
電流制御回路２７は、偏差ΔＩ１，ΔＩ２，ΔＩ３の各々が０となるように電圧指令値Ｖ１ａ，Ｖ２ａ，Ｖ３ａを生成する。電流制御回路２７は、たとえば、偏差ΔＩ１，ΔＩ２，ΔＩ３を比例制御または比例積分制御することにより電圧指令値Ｖ１ａ，Ｖ２ａ，Ｖ３ａを生成する。電圧検出器２８は、商用交流電源６からの三相交流電圧Ｖｕ１，Ｖｖ１，Ｖｗ１の瞬時値を検出し、それらの検出値を示す信号を出力する。
【００９０】
加算器２９Ａは、電圧指令値Ｖ１ａと電圧検出器２８により検出された交流電圧Ｖｕ１とを加算して電圧指令値Ｖ１ｃを生成する。加算器２９Ｂは、電圧指令値Ｖ２ａと電圧検出器２８により検出された交流電圧Ｖｖ１とを加算して電圧指令値Ｖ２ｃを生成する。加算器２９Ｃは、電圧指令値Ｖ３ａと電圧検出器２８により検出された交流電圧Ｖｗ１とを加算して電圧指令値Ｖ３ｃを生成する。
【００９１】
ＰＷＭ回路３０は、電圧指令値Ｖ１ｃ〜Ｖ３ｃに基づいて、コンバータ１を制御するためのＰＷＭ制御信号φ１〜φ３を生成する。ＯＲゲート３１は、切換信号φＣおよび停電検出信号φＦの論理和信号φ３１を出力する。ゲート回路３２は、ＯＲゲート３１の出力信号φ３１が「Ｌ」レベルである場合には、ＰＷＭ制御信号φ１〜φ３に基づいてゲート信号Ａ１〜Ａ３，Ｂ１〜Ｂ３（図２）を生成する。
【００９２】
また、ゲート回路３２は、ＯＲゲート３１の出力信号φ３１が「Ｈ」レベルである場合（すなわち、切換期間または商用交流電源６の停電時）には、ゲート信号Ａ１〜Ａ３，Ｂ１〜Ｂ３を「Ｌ」レベルにしてＩＧＢＴＱ１〜Ｑ６をオフさせることにより、コンバータ１の運転を停止する。
【００９３】
次に、双方向チョッパ２の構成およびその制御方法について説明する。図１０は、双方向チョッパ２の構成を示す回路図である。図１０において、双方向チョッパ２は、ＩＧＢＴＱ２１，Ｑ２２、ダイオードＤ２１，Ｄ２２、リアクトル３５、およびコンデンサ３６を含む。双方向チョッパ２は、制御装置５に含まれる制御部３７によって制御される。
【００９４】
ＩＧＢＴＱ２１のコレクタは高電圧側ノード２ａに接続され、そのエミッタはリアクトル３５を介して低電圧側ノード２ｃに接続されるとともに、ＩＧＢＴＱ２２のコレクタに接続される。ＩＧＢＴＱ２２のエミッタは、高電圧側ノード２ｂおよび低電圧側ノード２ｄに接続される。ダイオードＤ２１，Ｄ２２は、それぞれＩＧＢＴＱ２１，Ｑ２２に逆並列に接続される。コンデンサ３６は、高電圧側ノード２ａ，２ｂ間に接続され、高電圧側ノード２ａ，２ｂ間の直流電圧ＶＤＣを安定化させる。
【００９５】
ＩＧＢＴＱ２１は、制御部３７からのゲート信号Ｇ１によって制御される。制御部３７は、ＯＲゲート３１（図９）の出力信号φ３１が「Ｌ」レベルである場合には、ゲート信号Ｇ１を所定周波数で「Ｈ」レベルおよび「Ｌ」レベルにし、信号φ３１が「Ｈ」レベルである場合（すなわち、切換期間および商用交流電源６の停電時）には、ゲート信号Ｇ１を「Ｌ」レベルに固定する。ゲート信号Ｇ１が「Ｈ」レベルにされるとＩＧＢＴＱ２１がオンし、ゲート信号Ｇ１が「Ｌ」レベルにされるとＩＧＢＴＱ２１がオフする。
【００９６】
ＶＤＣ＞ＶＢである場合にＩＧＢＴＱ２１がオンされると、直流正母線ＬｐからＩＧＢＴＱ２１、リアクトル３５、およびバッテリ９を介して直流負母線Ｌｎに至る経路に電流Ｉｂが流れ、バッテリ９が充電されるとともに、リアクトル３５に電磁エネルギーが蓄えられる。
【００９７】
ＩＧＢＴＱ２１がオフされると、リアクトル３５の一方端子（バッテリ９側の端子）からバッテリ９およびダイオードＤ２２を介してリアクトル３５の他方端子に至る経路で電流が流れ、バッテリ９が充電されるとともに、リアクトル３５の電磁エネルギーが放出される。
【００９８】
ゲート信号Ｇ１が「Ｈ」レベルにされる時間（パルス幅）と１周期との比は、デューティ比と呼ばれる。制御部３７は、ＯＲゲート３１の出力信号φ３１が「Ｌ」レベルである場合には、バッテリ９の端子間電圧ＶＢが参照電圧ＶＢｒになるように、ゲート信号Ｇ１のデューティ比を調整する。
【００９９】
ＩＧＢＴＱ２２は、制御部３７からのゲート信号Ｇ２によって制御される。制御部３７は、ＯＲゲート３１（図９）の出力信号φ３１が「Ｈ」レベルである場合（すなわち、切換期間および商用交流電源６の停電時）には、ゲート信号Ｇ２を所定周波数で「Ｈ」レベルおよび「Ｌ」レベルにし、信号φ３１が「Ｌ」レベルである場合にはゲート信号Ｇ２を「Ｌ」レベルに固定する。ゲート信号Ｇ２が「Ｈ」レベルにされるとＩＧＢＴＱ２２がオンし、ゲート信号Ｇ２２が「Ｌ」レベルにされるとＩＧＢＴＱ２２がオフする。
【０１００】
ＩＧＢＴＱ２がオンされると、バッテリ９の正極からリアクトル３５およびＩＧＢＴＱ２２を介してバッテリ９の負極に電流が流れ、リアクトル３５に電磁エネルギーが蓄えられる。ＩＧＢＴＱ２２がオフされると、リアクトル３５からＩＧＢＴＱ２２に流れていた電流がリアクトル３５からダイオードＤ２１に転流され、コンデンサ３６，Ｃｄを介してバッテリ９の負極に流れ、コンデンサ３６，Ｃｄが充電されるとともに、リアクトル３５の電磁エネルギーが放出される。制御部３７は、信号φ３１が「Ｈ」レベルである場合には、コンデンサＣｄの端子間電圧ＶＤＣが参照電圧ＶＤＣ２になるように、ゲート信号Ｇ２のデューティ比を調整する。
【０１０１】
図１１（Ａ）〜（Ｈ）は、図８〜図１０に示した制御装置５の動作を示すタイムチャートである。図１１において、（Ａ）はモード選択信号ＭＳの波形を示し、（Ｂ）は切換指令信号ＰＣの波形を示し、（Ｃ）は切換信号φＣの波形を示し、（Ｄ）はオーバーラップ指令信号φＯＬの波形を示している。
【０１０２】
また、（Ｅ）はコンデンサＣｄの端子間電圧ＶＤＣを示し、（Ｆ）はスイッチＳ１〜Ｓ３の状態を示し、（Ｇ）はスイッチＳ４〜Ｓ６の状態を示し、（Ｈ）はスイッチＳ７〜Ｓ９の状態を示している。図１１では、インバータ給電モードからバイパス給電モードに切換える場合の動作が示されている。
【０１０３】
時刻ｔ０では、インバータ給電モードが実行されており、モード選択信号ＭＳ、切換指令信号ＰＣ、切換信号φＣ、およびオーバーラップ指令信号φＯＬはともに「Ｌ」レベルにされている。また、コンデンサＣｄの端子間電圧ＶＤＣは参照電圧ＶＤＣｒ１にされ、スイッチＳ１〜Ｓ６はオンされ、スイッチＳ７〜Ｓ９はオフされている。
【０１０４】
ある時刻ｔ１において操作部４を用いてバイパス給電モードが選択されると、モード選択信号ＭＳが「Ｌ」レベルから「Ｈ」レベルに立ち上げられ、信号発生回路１１によって切換指令信号ＰＣが所定時間だけ「Ｈ」レベルに立ち上げられる。切換指令信号ＰＣの立ち上がりエッジに応答して、タイマー１２（図８）が第１の時間Ｔ１、第２の時間Ｔ２、および第３の時間Ｔ３を順次計測し、計時結果に基づいて切換信号φＣおよびオーバーラップ指令信号φＯＬを生成する。
【０１０５】
切換信号φＣは、切換指令信号ＰＣの立ち上がりエッジ（時刻ｔ１）から第３の時間Ｔ３（時刻ｔ４）まで「Ｈ」レベルにされる。オーバーラップ指令信号φＯＬは、第１の時間Ｔ１（時刻ｔ２）から第２の時間Ｔ２（時刻ｔ３）まで「Ｈ」レベルにされる。
【０１０６】
切換信号φＣが「Ｌ」レベルから「Ｈ」レベルに立ち上げられると（時刻ｔ１）、スイッチＳ１〜Ｓ３(図１）がオフされ、制御部１６（図８、図９）によってコンバータ１の運転が停止されるとともに、コンデンサＣｄの端子間電圧ＶＤＣが参照電圧ＶＤＣｒ２になるように、制御部３７（図１０）によって双方向チョッパ２が制御される。
【０１０７】
スイッチＳ１〜Ｓ３がオフされている切換期間内に、ラップ指令信号φＯＬが「Ｈ」レベルにされてラップ給電モードが実行される。ラップ指令信号φＯＬが「Ｈ」レベルに立ち上げられると（時刻ｔ２）、スイッチＳ７〜Ｓ９がオンされる。このとき、スイッチＳ１〜Ｓ３がオフされているので、循環電流ＩＣ（図６、図７）が流れることはない。ラップ指令信号φＯＬが「Ｌ」レベルに立ち下げられると（時刻ｔ３）、スイッチＳ４〜Ｓ６がオフされ、ラップ給電モードが終了する。
【０１０８】
切換信号φＣが「Ｌ」レベルに立ち下げられると（時刻ｔ４）、スイッチＳ１〜Ｓ３がオンされ、コンバータ１の運転が再開され、双方向チョッパ２によるバッテリ９の充電が再開され、インバータ給電モードからバイパス給電モードへの切換えが完了する。コンデンサＣｄの端子間電圧ＶＤＣは、コンバータ１によって参照電圧ＶＤＣｒ２から参照電圧ＶＤＣｒ１に上げられる。このとき、参照電圧ＶＤＣｒ１は参照電圧ＶＤＣｒ２よりも少しだけ高い電圧に設定されているので、コンデンサＣｄの端子間電圧ＶＤＣを参照電圧ＶＤＣｒ１に迅速に戻すことができる。
【０１０９】
図１２（Ａ）〜（Ｈ）は、図８〜図１０に示した制御装置５の動作を示す他のタイムチャートであって、図１１（Ａ）〜（Ｈ）と対比される図である。図１２（Ａ）〜（Ｈ）では、バイパス給電モードからインバータ給電モードに切換える場合の動作が示されている。
【０１１０】
時刻ｔ０では、バイパス給電モードが実行されており、モード選択信号ＭＳは「Ｈ」レベルにされ、切換指令信号ＰＣ、切換信号φＣ、およびオーバーラップ指令信号φＯＬはともに「Ｌ」レベルにされている。また、コンデンサＣｄの端子間電圧ＶＤＣはコンバータ１によって参照電圧ＶＤＣｒ１にされ、スイッチＳ１〜Ｓ３，Ｓ７〜Ｓ９はオンされ、スイッチＳ４〜Ｓ６はオフされている。
【０１１１】
ある時刻ｔ１において操作部４を用いてインバータ給電モードが選択されると、モード選択信号ＭＳが「Ｈ」レベルから「Ｌ」レベルに立ち下げられ、信号発生回路１１によって切換指令信号ＰＣが所定時間だけ「Ｈ」レベルに立ち上げられる。切換指令信号ＰＣの立ち上がりエッジに応答して、タイマー１２（図８）が第１の時間Ｔ１、第２の時間Ｔ２、および第３の時間Ｔ３を順次計測し、計時結果に基づいて切換信号φＣおよびオーバーラップ指令信号φＯＬを生成する。
【０１１２】
切換信号φＣは、切換指令信号ＰＣの立ち上がりエッジ（時刻ｔ１）から第３の時間Ｔ３（時刻ｔ４）まで「Ｈ」レベルにされる。オーバーラップ指令信号φＯＬは、第１の時間Ｔ１（時刻ｔ２）から第２の時間Ｔ２（時刻ｔ３）まで「Ｈ」レベルにされる。
【０１１３】
切換信号φＣが「Ｌ」レベルから「Ｈ」レベルに立ち上げられると（時刻ｔ１）、制御部１６（図８、図９）によってコンバータ１の運転が停止されるとともに、コンデンサＣｄの端子間電圧ＶＤＣが参照電圧ＶＤＣｒ２になるように、制御部３７（図１０）によって双方向チョッパ２が制御される。
【０１１４】
スイッチＳ１〜Ｓ３がオフされている期間内に、ラップ指令信号φＯＬが「Ｈ」レベルにされてラップ給電モードが実行される。ラップ指令信号φＯＬが「Ｈ」レベルに立ち上げられると（時刻ｔ２）、スイッチＳ４〜Ｓ６がオンされる。このとき、スイッチＳ１〜Ｓ３がオフされているので、循環電流ＩＣ（図６、図７）が流れることはない。ラップ指令信号φＯＬが「Ｌ」レベルに立ち下げられると（時刻ｔ３）、スイッチＳ７〜Ｓ９がオフされ、ラップ給電モードが終了する。
【０１１５】
切換信号φＣが「Ｌ」レベルに立ち下げられると（時刻ｔ４）、スイッチＳ１〜Ｓ３がオンされ、コンバータ１の運転が再開され、双方向チョッパ２によるバッテリ９の充電が再開されて、バイパス給電モードからインバータ給電モードへの切換えが完了する。コンデンサＣｄの端子間電圧ＶＤＣは、コンバータ１によって参照電圧ＶＤＣｒ２から参照電圧ＶＤＣｒ１に上げられる。このとき、参照電圧ＶＤＣｒ１は参照電圧ＶＤＣｒ２よりも少しだけ高い電圧に設定されているので、コンデンサＣｄの端子間電圧ＶＤＣを参照電圧ＶＤＣｒ１に迅速に戻すことができる。
【０１１６】
以上のように、本実施の形態１では、インバータ給電モードとバイパス給電モードとを切換える切換期間には、スイッチＳ１〜Ｓ３をオフさせてコンバータ１を商用交流電源６から電気的に切り離す。したがって、商用交流電源６の中性点端子６ｄおよびバイパス交流電源７の中性点端子７ｄがともに接地された場合でも、コンデンサＣｄなどを含む経路に循環電流ＩＣが流れることを防止することができる。
【０１１７】
[実施の形態２]
図１３は、この発明の実施の形態２による無停電電源装置の要部を示す回路ブロック図であって、図８と対比される図である。図１３を参照して、この無停電電源装置が実施の形態１と異なる点は、タイマー１２および制御部１４，１５が制御部４０で置換され、補助スイッチＳａ，Ｓｂ，Ｓｃおよび状態検出器４４〜４６が追加されている点である。
【０１１８】
スイッチＳ１〜Ｓ３および補助スイッチＳａは、電磁接触器４１を構成する。補助スイッチＳａは、スイッチＳ１〜Ｓ３と連動する。たとえば、スイッチＳ１〜Ｓ３がオンすると、スイッチＳａもオンする。逆に、スイッチＳ１〜Ｓ３がオフしたときにスイッチＳａがオンしてもよい。スイッチＳａは、状態検出器４４に接続される。状態検出器４４は、スイッチＳａがオンしているかオフしているか（すなわち、スイッチＳ１〜Ｓ３がオンしているかオフしているか）を検出し、検出結果を示す信号φ４４を制御部４０に出力する。
【０１１９】
スイッチＳ４〜Ｓ６および補助スイッチＳｂは、電磁接触器４２を構成する。補助スイッチＳｂは、スイッチＳ４〜Ｓ６と連動する。たとえば、スイッチＳ４〜Ｓ６がオンすると、スイッチＳｂもオンする。逆に、スイッチＳ４〜Ｓ６がオフしたときにスイッチＳｂがオンしてもよい。スイッチＳｂは、状態検出器４５に接続される。状態検出器４５は、スイッチＳｂがオンしているかオフしているか（すなわち、スイッチＳ４〜Ｓ６がオンしているかオフしているか）を検出し、検出結果を示す信号φ４５を制御部４０に出力する。
【０１２０】
スイッチＳ７〜Ｓ９および補助スイッチＳｃは、電磁接触器４３を構成する。補助スイッチＳｃは、スイッチＳ７〜Ｓ９と連動する。たとえば、スイッチＳ７〜Ｓ９がオンすると、スイッチＳｃもオンする。逆に、スイッチＳ７〜Ｓ９がオフしたときにスイッチＳｃがオンしてもよい。スイッチＳｃは、状態検出器４６に接続される。状態検出器４６は、スイッチＳｃがオンしているかオフしているか（すなわち、スイッチＳ７〜Ｓ９がオンしているかオフしているか）を検出し、検出結果を示す信号φ４６を制御部４０に出力する。
【０１２１】
制御部４０は、信号発生回路１１の出力信号ＰＳ、状態検出器４４〜４６の出力信号φ４４〜φ４６、およびモード選択信号ＭＳに基づいて、電磁接触器４１〜４３を制御するとともに切換信号φＣを出力する。また、制御部４０は、停電検出器１３の出力信号φＦが活性化レベルの「Ｈ」レベルである場合には、電磁接触器４１をオフさせる。
【０１２２】
図１４（Ａ）〜（Ｆ）は、図１３に示した制御部４０の動作を示すタイムチャートである。図１４において、（Ａ）はモード選択信号ＭＳの波形を示し、（Ｂ）は切換指令信号ＰＣの波形を示し、（Ｃ）は切換信号φＣの波形を示し、（Ｄ）はスイッチＳ１〜Ｓ３，Ｓａの状態を示し、（Ｅ）はスイッチＳ４〜Ｓ６，Ｓｂの状態を示し、（Ｆ）はスイッチＳ７〜Ｓ９，Ｓｃの状態を示している。図１４では、インバータ給電モードからバイパス給電モードに切換える場合の動作が示されている。
【０１２３】
時刻ｔ０では、インバータ給電モードが実行されており、モード選択信号ＭＳ、切換指令信号ＰＣ、および切換信号φＣはともに「Ｌ」レベルにされている。また、スイッチＳ１〜Ｓ３，ＳａおよびスイッチＳ４〜Ｓ６，Ｓｂはオンされ、スイッチＳ７〜Ｓ９，Ｓｃはオフされている。
【０１２４】
ある時刻ｔ１において操作部４を用いてバイパス給電モードが選択されると、モード選択信号ＭＳが「Ｌ」レベルから「Ｈ」レベルに立ち上げられ、信号発生回路１１によって切換指令信号ＰＣが所定時間だけ「Ｈ」レベルに立ち上げられる。切換指令信号ＰＣが「Ｈ」レベルに立ち上げられたことに応じて制御部４０は、切換信号φＣを「Ｈ」レベルに立ち上げるとともに、スイッチＳ１〜Ｓ３，Ｓａをオフさせる（時刻ｔ２）。
【０１２５】
補助スイッチＳａがオフされたことに応じて制御部４０は、スイッチＳ７〜Ｓ９，Ｓｃをオンさせ、ラップ給電モードを実行する（時刻ｔ３）。このとき、スイッチＳ１〜Ｓ３がオフされているので、循環電流ＩＣ（図６、図７）が流れることはない。
【０１２６】
補助スイッチＳｃがオフされたことに応じて制御部４０は、スイッチＳ４〜Ｓ６，Ｓｂをオフさせ、ラップ給電モードを終了する（時刻ｔ４）。補助スイッチＳｂがオフされたことに応じて制御部４０は、スイッチＳ１〜Ｓ３，Ｓａをオンさせるとともに切換信号φＣを「Ｌ」レベルに立ち下げる（時刻ｔ５）。これにより、インバータ給電モードからバイパス給電モードへの切換が終了する。
【０１２７】
図１５（Ａ）〜（Ｆ）は、図１３に示した制御部４０の動作を示す他のタイムチャートである。図１５において、（Ａ）はモード選択信号ＭＳの波形を示し、（Ｂ）は切換指令信号ＰＣの波形を示し、（Ｃ）は切換信号φＣの波形を示し、（Ｄ）はスイッチＳ１〜Ｓ３，Ｓａの状態を示し、（Ｅ）はスイッチＳ４〜Ｓ６，Ｓｂの状態を示し、（Ｆ）はスイッチＳ７〜Ｓ９，Ｓｃの状態を示している。図１５では、バイパス給電モードからインバータ給電モードに切換える場合の動作が示されている。
【０１２８】
時刻ｔ０では、バイパス給電モードが実行されており、モード選択信号ＭＳは「Ｈ」レベルにされ、切換指令信号ＰＣおよび切換信号φＣはともに「Ｌ」レベルにされている。また、スイッチＳ１〜Ｓ３，ＳａおよびスイッチＳ７〜Ｓ９，Ｓｃはオンされ、スイッチＳ４〜Ｓ６，Ｓｂはオフされている。
【０１２９】
ある時刻ｔ１において操作部４を用いてインバータ給電モードが選択されると、モード選択信号ＭＳが「Ｈ」レベルから「Ｌ」レベルに立ち上げられ、信号発生回路１１によって切換指令信号ＰＣが所定時間だけ「Ｈ」レベルに立ち上げられる。切換指令信号ＰＣが「Ｈ」レベルに立ち上げられたことに応じて制御部４０は、切換信号φＣを「Ｈ」レベルに立ち上げるとともに、スイッチＳ１〜Ｓ３，Ｓａをオフさせる（時刻ｔ２）。
【０１３０】
補助スイッチＳａがオフされたことに応じて制御部４０は、スイッチＳ４〜Ｓ６，Ｓｂをオンさせ、ラップ給電モードを実行する（時刻ｔ３）。このとき、スイッチＳ１〜Ｓ３がオフされているので、循環電流ＩＣ（図６、図７）が流れることはない。
【０１３１】
補助スイッチＳｂがオフされたことに応じて制御部４０は、スイッチＳ７〜Ｓ９，Ｓｃをオフさせ、ラップ給電モードを終了する（時刻ｔ４）。補助スイッチＳｃがオフされたことに応じて制御部４０は、スイッチＳ１〜Ｓ３，Ｓａをオンさせるとともに切換信号φＣを「Ｌ」レベルに立ち下げる（時刻ｔ５）。これにより、バイパス給電モードからインバータ給電モードへの切換が終了する。
【０１３２】
他の構成および動作は、実施の形態１と同じであるので、その説明は繰り返さない。この実施の形態２でも、実施の形態１と同じ効果が得られる。
【０１３３】
今回開示された実施の形態はすべての点で例示であって制限的なものではないと考えられるべきである。本発明は上記した説明ではなくて請求の範囲によって示され、請求の範囲と均等の意味および範囲内でのすべての変更が含まれることが意図される。
【符号の説明】
【０１３４】
Ｓ１〜Ｓ９  スイッチ、Ｃ１〜Ｃ６，Ｃｄ，３６  コンデンサ、Ｌ１〜Ｌ６，３５  リアクトル、ＣＴ１〜ＣＴ６  電流検出器、１  コンバータ、Ｌｐ  直流正母線、Ｌｎ  直流負母線、２  双方向チョッパ、３  インバータ、４  操作部、５  制御装置、６  商用交流電源、６ｄ，７ｄ  中性点端子、６Ｕ，６Ｖ，６Ｗ，７Ｕ，７Ｖ，７Ｗ  交流電源、７  バイパス交流電源、８  負荷、９  バッテリ、Ｑ１〜Ｑ６，Ｑ１１〜Ｑ１６，Ｑ２１，Ｑ２２  ＩＧＢＴ、Ｄ１〜Ｄ６，Ｄ１１〜Ｄ１６，Ｄ２１，Ｄ２２  ダイオード、１１  信号発生回路、１２  タイマー、１３  停電検出器、１４〜１６，３７，４０  制御部、２０，２８  電圧検出器、２１  参照電圧発生回路、２２，２６Ａ〜２６Ｃ  減算器、２３  直流電圧制御回路、２４  正弦波発生回路、２５Ａ〜２５Ｃ  乗算器、２７  電流制御回路、２９Ａ〜２９Ｃ  加算器、３０  ＰＷＭ回路、３１  ゲート回路、Ｓａ，Ｓｂ，Ｓｃ  補助スイッチ、４１〜４３  電磁接触器、４４〜４６  状態検出器。
【要約】
無停電電源装置の制御装置（５）は、インバータ給電モード時には、第１のスイッチ（Ｓ１〜Ｓ３）および第２のスイッチ（Ｓ４〜Ｓ５）をオンさせるとともに第３のスイッチ（Ｓ７〜Ｓ９）をオフさせ、バイパス給電モード時には、第１および第３のスイッチをオンさせるとともに第２のスイッチをオフさせ、インバータ給電モードおよびバイパス給電モードのうちのいずれか一方のモードから他方のモードに切換える切換期間には、第１のスイッチをオフさせるとともに第２および第３のスイッチをオンさせるラップ給電モードを実行する。【図１】
0006754015.tif 000002
【図２】
0006754015.tif 000003
【図３】
0006754015.tif 000004
【図４】
0006754015.tif 000005
【図５】
0006754015.tif 000006
【図６】
0006754015.tif 000007
【図７】
0006754015.tif 000008
【図８】
0006754015.tif 000009
【図９】
0006754015.tif 000010
【図１０】
0006754015.tif 000011
【図１１】
0006754015.tif 000012
【図１２】
0006754015.tif 000013
【図１３】
0006754015.tif 000014
【図１４】
0006754015.tif 000015
【図１５】
0006754015.tif 000016